(57)【特許請求の範囲】
【請求項１】
筐体と、
前記筐体内に収容され、前記筐体の内面に組み付けられた防水ケース本体と、
前記防水ケース本体と一体を成し、前記防水ケース本体の内側で露出したアンテナと、  前記防水ケース本体の内側に搭載された制御盤と、
前記防水ケース本体の内側において前記制御盤に設けられ、前記アンテナに当接した給電部と、
前記防水ケース本体及び前記アンテナの輪郭部分を包み込むよう成型され、前記防水ケース本体と一体を成したシール部と、を備え
前記筐体の内面に溝が凹設され、前記溝が前記制御盤を囲繞し、前記シール部が前記溝に嵌め込まれていることを特徴とする無線端末。
【請求項２】
前記防水ケース本体が金属製であり、
前記シール部がゴム製であり、
前記防水ケース本体に切欠き又は穴が形成され、
前記アンテナが前記切欠き又は前記穴に配置され、
前記切欠き又は前記穴が前記アンテナ及び前記シール部によって塞がれていることを特徴とする請求項１に記載の無線端末。
【請求項３】
無線端末の筐体の内面に組み付けられる防水ケースであって、
防水ケース本体と、
前記防水ケース本体と一体を成し、前記防水ケース本体の内側で露出したアンテナと、
前記防水ケース本体及び前記アンテナの輪郭部分を包み込むよう成型され、前記防水ケース本体と一体を成したシール部と、を備えることを特徴とする防水ケース。
【請求項４】
前記防水ケース本体が金属製であり、
前記シール部がゴム製であり、
前記防水ケース本体に切欠き又は穴が形成され、
前記アンテナが前記切欠き又は前記穴に配置され、
前記切欠き又は前記穴が前記アンテナ及び前記シール部によって塞がれていることを特
徴とする請求項３に記載の防水ケース。
【発明の詳細な説明】
【技術分野】
【０００１】
本発明は、無線端末及び防水ケースに関する。
【背景技術】
【０００２】
近年、携帯電話機を代表として小型な無線端末が広く普及し、無線端末のアンテナとしては様々なものが開発されている。いわゆるアンテナ内蔵型の無線端末においては、アンテナが筐体の内側に設置されている。例えば、アンテナが筐体と一体を成し、アンテナが筐体の内面に設けられているものがある（特許文献１参照）。
【特許文献１】特開２００３−２３４６６８号公報
【発明の開示】
【発明が解決しようとする課題】
【０００３】
ところで、筐体の内部の制御基板等の防水を図るため、筐体の内側には防水ケースが組み付けられ、制御基板等が防水ケースの内側に収容される。そうした場合、特許文献１に記載のようにアンテナが筐体の内面に設けられているとすると、制御基板とアンテナを電気的接続するために、配線等を防水ケースの外側から内側に通す必要が生じる。そのため、配線等が防水ケースを通される部分を止水しなければならず、止水用・防水用の部品の点数が増えてしまう。
そこで、本発明の課題は、止水用・防水用の部品点数を減らせるようにするとともに、防水の信頼性を向上できるようにすることである。
【課題を解決するための手段】
【０００４】
以上の課題を解決するため、請求項１に係る発明によれば、
筐体と、
前記筐体内に収容され、前記筐体の内面に組み付けられた防水ケース本体と、
前記防水ケース本体と一体を成し、前記防水ケース本体の内側で露出したアンテナと、
前記防水ケース本体の内側に搭載された制御盤と、
前記防水ケース本体の内側において前記制御盤に設けられ、前記アンテナに当接した給
電部と、
前記防水ケース本体及び前記アンテナの輪郭部分を包み込むよう成型され、前記防水ケース本体と一体を成したシール部と、を備え
前記筐体の内面に溝が凹設され、前記溝が前記制御盤を囲繞し、前記シール部が前記溝に嵌め込まれていることを特徴とする無線端末が提供される。
【０００６】
請求項２に係る発明によれば、
前記防水ケース本体が金属製であり、
前記シール部がゴム製であり、
前記防水ケース本体に切欠き又は穴が形成され、
前記アンテナが前記切欠き又は前記穴に配置され、
前記切欠き又は前記穴が前記アンテナ及び前記シール部によって塞がれていることを特
徴とする請求項１に記載の無線端末が提供される。
【０００７】
請求項３に係る発明によれば、
無線端末の筐体の内面に組み付けられる防水ケースであって、
防水ケース本体と、
前記防水ケース本体と一体を成し、前記防水ケース本体の内側で露出したアンテナと、
前記防水ケース本体及び前記アンテナの輪郭部分を包み込むよう成型され、前記防水ケース本体と一体を成したシール部と、を備えることを特徴とする防水ケースが提供される。
【０００９】
請求項４に係る発明によれば、
前記防水ケース本体が金属製であり、
前記シール部がゴム製であり、
前記防水ケース本体に切欠き又は穴が形成され、
前記アンテナが前記切欠き又は前記穴に配置され、
前記切欠き又は前記穴が前記アンテナ及び前記シール部によって塞がれていることを特
徴とする請求項３に記載の防水ケースが提供される。
【発明の効果】
【００１０】
本発明によれば、防水ケース本体内において給電部がアンテナに当接しているから、止水用・防水用の部品点数を削減することができるとともに、防水の信頼性が向上する。また、アンテナが防水ケース本体と一体を成しているから、アンテナが筐体の最外部の近くに配置されて、制御盤等の電子部品による電波障害を受けにくくなる。
【発明を実施するための最良の形態】
【００１１】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１２】
図１は、無線端末１の斜視図である。この無線端末１は、携帯電話機、パーソナルコンピュータ、デジタルカメラ、ＰＤＡ（Personal Digital Assistance）、電子手帳、ポータルテレビ、携帯無線機その他の無線端末である。
【００１３】
この無線端末１においては、第一の筐体２がヒンジ部３によって第二の筐体４に連結されている。第二の筐体４が、第一の筐体２に対して、第一の筐体２及び第二の筐体４の幅方向に平行なヒンジ部３の軸の回りに回動可能となっている。これにより、無線端末１の折り畳み又は展開をすることができる。
【００１４】
第二の筐体４の前面には、液晶ディスプレイ、エレクトロルミネッセンスディスプレイその他の薄型ディスプレイを有する表示部５が設けられている。第一の筐体２の前面にはテンキー等といった操作部６が設けられている。
【００１５】
図２を参照して、第一の筐体２及びその内部等について説明する。図２は、第一の筐体２を分解した状態で第一の筐体２及びその内部等を示した分解斜視図である。
第一の筐体２は樹脂製のフロントケース１０及びリアケース１１からなる。フロントケース１０の側壁とリアケース１１の側壁が突き合わせられ、フロントケース１０とリアケース１１がネジ、爪、リベット、接着剤、粘着テープその他の結合材によって結合されている。
【００１６】
フロントケース１０の前面には矩形状の開口１２が形成され、その開口１２が可撓性のキーシート１３によって塞がれ、キーシート１３の後面であってその縁部分が両面粘着テープ１５によってフロントケース１０に貼着されている。キーシート１３には、操作部６の複数の薄型キートップ１４が形成されている。
【００１７】
第一の筐体２内には、制御盤１６及び防水ケース１７が収容されている。制御盤１６は、補強ケース、回路基板、プッシュスイッチ、コネクタ等を有する。制御盤１６がフロントケース１０の内面に突き合わせられ、制御盤１６とフロントケース１０がネジ、爪、リベット、接着剤、粘着テープその他の結合材によって結合されている。
【００１８】
図３は防水ケース１７を示した斜視図であり、図４は防水ケース１７を構成要素ごとに分解して示した分解斜視図である。
図３、図４に示すように、防水ケース１７は、骨格をなす金属製の防水ケース本体２０と、防水ケース本体２０に重ならず、かつ防水ケース本体２０に触れない位置に配置されたアンテナ４１〜４３と、防水ケース本体２０の側壁２１〜２４等を被覆した防水シール部５０と、を有する。なお、防水ケース本体２０が樹脂製であってもよい。
【００１９】
防水ケース本体２０の側壁２１には、イヤフォンコネクタ用穴２６及び押釦用穴２７が形成されている。防水ケース本体２０の側壁２２には通信ケーブルコネクタ用穴２８が形成されている。防水ケース本体２０の底板２５に電池収納穴２９が形成され、その電池収納穴２９の周囲であってその底板２５には、フランジ３０が凸設されている。また、底板２５にはアンテナ設置用穴３１が形成されている。底板２５から側壁２３にかけてアンテナ設置用切欠き３２が形成され、底板２５から側壁２４にかけてアンテナ設置用切欠き３３が形成されている。
【００２０】
アンテナ４１〜４３は、葛折り状を呈した導電性金属泊である。アンテナ４１がアンテナ設置用穴３１内に配置され、アンテナ４１が底板２５に対して面一になっている。アンテナ４２がアンテナ設置用切欠き３２内に配置され、アンテナ４２が底板２５及び側壁２３に対して面一になっている。アンテナ４３がアンテナ設置用切欠き３３内に配置され、アンテナ４３が底板２５及び側壁２４に対して面一になっている。
【００２１】
防水シール部５０は、ゴムその他の弾性材料からなる。防水シール部５０は、インサート成型法により、防水ケース本体２０及びアンテナ４１〜４４の輪郭部分を包み込むようにして成型されている。これにより、防水ケース本体２０、アンテナ４１〜４４及び防水シール部５０が一体を成している。
【００２２】
また、防水ケース本体２０の側壁２１〜２４が防水シール部５０によって被覆され、フランジ３０も防水シール部５０によって被覆されている。アンテナ４１及び防水シール部５０によってアンテナ設置用穴３１が塞がれ、アンテナ４２及び防水シール部５０によってアンテナ設置用切欠き３２が塞がれ、アンテナ４３及び防水シール部５０によってアンテナ設置用切欠き３３が塞がれている。イヤフォンコネクタ用穴２６及び通信ケーブルコネクタ用穴２８は防水シール部５０によって塞がれていないが、押釦用穴２７は防水シール部５０によって塞がれている。なお、防水ケース本体２０の少なくとも輪郭部分が防水シール部５０によって被覆されていれば、防水ケース本体２０の全体が防水シール部５０によって包み込まれてもよい。
【００２３】
アンテナ４１がアンテナ設置用穴３１内に配置され、アンテナ４１がアンテナ設置用穴３１の縁から離れ、アンテナ設置用穴３１の縁とアンテナ４１の輪郭との間の部分が防水シール部５０によって塞がれている。そのため、アンテナ４１が金属製の防水ケース本体２０に対して絶縁されている。従って、アンテナ４１による電波送受が防水ケース本体２０によって影響を受けにくくなっている。アンテナ４２，４３についても同様である。
【００２４】
アンテナ４１〜４３の輪郭部分以外の部分は防水シール部５０によって被覆されておらず、その部分は防水ケース本体２０の内側及び外側（防水ケース１７の内側及び外側）において露出している。なお、アンテナ４１〜４３の少なくとも一部（具体的には、端部４４〜４６）が防水ケース本体２０の内側（防水ケース１７の内側）において露出していれば、その一部を除いてアンテナ４１〜４３全体が防水シール部５０によって包み込まれてもよい。
【００２５】
防水ケース１７はインサート成型法により製造される。即ち、防水ケース本体２０及びアンテナ４１〜４３を金型にセッティングし、ゴムその他の弾性材料を金型内に流し込んで、その弾性材料で防水ケース本体２０及びアンテナ４１〜４３を包み込んで、その後硬化させて防水シール部５０が成型される。
【００２６】
図５は図１に示されたV−Vの断面図であり、図６はVI−VIの断面図であり、図７はVII−VIIの断面図である。図５〜図７に示すように、フロントケース１０の内面には、溝１８が形成されている。溝１８はフロントケース１０の側壁に沿って形成されている。この溝１８が制御盤１６の周囲全周にわたって形成され、制御盤１６が溝１８によって囲繞されている。
【００２７】
防水ケース本体２０の側壁２１〜２４によって囲まれた開口部がフロントケース１０の内面に向いて、防水ケース本体２０及び防水シール部５０がフロントケース１０に嵌め込まれている。そして、防水ケース１７の縁部分、つまり、防水シール部５０のうち防水ケース本体２０の側壁２１〜２４の縁を包み込んだ部分が溝１８に嵌め込まれている。これにより、防水シール部５０が僅かながら圧縮されている。防水シール部５０が溝１８全体にわたって嵌め込まれているから、防水ケース１７内への浸水を防止することができる。
【００２８】
防水ケース本体２０及び防水シール部５０がリアケース１１に嵌め込まれ、防水ケース本体２０の底板２５がリアケース１１の底に重なっている。防水ケース本体２０の側壁２１〜２４が第一の筐体２内においてフロントケース１０及びリアケース１１の側壁に重なっている。そのため、アンテナ４１〜４３が第一の筐体２の最外部の近くに配置されて、制御盤１６等の電子部品による電波障害を受けづらくなっている。
【００２９】
図６、図７に示すように、制御盤１６の後面には給電部６６が立設されている。給電部６６はアンテナ４３の端部４６に相対応する位置に配置され、給電部６６の突端がアンテナ４３の端部４６に当接している。また、図２に示すように、制御盤１６の後面に給電部６５が立設され、給電部６５の突端がアンテナ４２の端部４５（図３参照）に当接している。また、図示は省略するが、制御盤１６の後面であってアンテナ４１の端部４４に相対応する位置に給電部が立設され、その給電部の突端がアンテナ４１の端部４４に当接している。
【００３０】
これによりアンテナ４１〜４３に給電が行われる。アンテナ４１〜４３は、通信通話電波用、ＲＦＩＤ（Radio Frequency Identification）電波用、放送電波用その他の電波用のものである。
【００３１】
図２に示すように、第一の筐体２の後面に電池収納口７１が形成されている。そして、二次電池７２が電池収納口７１及び電池収納穴２９に装着され、電池収納口７１及び電池収納穴２９が二次電池７２によって閉塞されている。第一の筐体２の右側面にはイヤフォンコネクタ用口７３が形成され、イヤフォンコネクタ用穴２６及びイヤフォンコネクタ用口７３がカバー７４によって閉塞されている。第一の筐体２の左側面には通信ケーブルコネクタ用口７５が形成され、通信ケーブルコネクタ用穴２８及び通信ケーブルコネクタ用口７５がカバー７６によって閉塞されている。また、第一の筐体２の右側面には複数の押釦用穴７７が形成され、これら押釦用穴７７に押釦７８が装着されている。
【００３２】
本実施形態によれば、防水ケース本体２０内においてアンテナ４３が露出しているから、防水ケース本体２０内に収容された給電部６６が配線等を介さずにアンテナ４３に直接接触させることができる。そのため、仮にアンテナ４３が防水ケース１７の外に設置された場合と比較して、本実施形態では止水用・防水用の部品点数を削減することができるとともに、防水の信頼性が向上する。また、アンテナ４３が防水ケース本体２０と一体を成しているから、アンテナ４３が第一の筐体２の最外部の近くに配置されて、制御盤１６等の電子部品による電波障害を受けにくくなる。アンテナ４１，４２についても同様のことがいえる。
【図面の簡単な説明】
【００３３】
【図１】本発明を適用した無線端末を示した斜視図である。
【図２】上記無線端末の第一の筐体及びその内部等を分解して示した分解斜視図である。
【図３】上記第一の筐体に収容される防水ケースを示した斜視図である。
【図４】上記防水ケースを分解して示した分解斜視図である。
【図５】図１に示されたV−Vの断面図である。
【図６】図１に示されたVI−VIの断面図である。
【図７】図１に示されたVII−VIIの断面図である。
【符号の説明】
【００３４】
１  通信端末
２  第一の筐体
１６  制御盤
１７  防水ケース
１８  溝
２０  防水ケース本体
３１  アンテナ設置用穴
３２、３３  アンテナ設置用切欠き
４１、４２、４３  アンテナ
５０  防水シール部
６５、６６  給電部
【図１】
0005019230.tif 000002
【図２】
0005019230.tif 000003
【図３】
0005019230.tif 000004
【図４】
0005019230.tif 000005
【図５】
0005019230.tif 000006
【図６】
0005019230.tif 000007
【図７】
0005019230.tif 000008